(57)【要約】【課題】案内部材の下流部分が固定軸によって回転可能に支持され、案内部材の上流部分が付勢部材によって位置決め部に付勢されている場合と比して、案内部材が搬送される記録媒体と接触することで、案内部材の上流部分が移動する移動量を減らすことができる画像形成装置を得る。【解決手段】一端が開閉部材に取り付けられた付勢部材の他端が、案内部材の下流側の下流部分に取り付けられ、付勢部材は、本体部に設けられた位置決め部に下流部分を付勢している。一端が開閉部材に取り付けられた他の付勢部材の他端が、案内部材の上流側の上流部分に取り付けられ、他の付勢部材は、本体部に設けられた他の位置決め部に上流部分を付勢している。【選択図】図１
2020016691.tif 000002
【特許請求の範囲】
【請求項１】
本体部と、前記本体部から接離して内部を開閉する開閉部材とを有する筐体と、
前記筐体の内部に配置され、搬送される記録媒体を案内する案内部材と、
一端が前記開閉部材に取り付けられ、他端が記録媒体の搬送方向において前記案内部材の下流側の下流部分に取り付けられ、前記本体部に設けられた位置決め部に前記下流部分を付勢する付勢部材と、
一端が前記開閉部材に取り付けられ、他端が記録媒体の搬送方向において前記案内部材の上流側の上流部分に取り付けられ、前記本体部に設けられた他の位置決め部に前記上流部分を付勢する他の付勢部材と、
を備える画像形成装置。
【請求項２】
前記他の付勢部材は、コイルバネであって、
前記案内部材には、搬送される記録媒体を案内する案内面が形成されており、
搬送される記録媒体の幅方向から見て、前記他の付勢部材の中心軸線は、前記他の付勢部材の中心軸線と前記案内面との交点における前記案内面の法線方向に延びている請求項１に記載の画像形成装置。
【請求項３】
前記付勢部材は、コイルバネであって、
前記案内部材には、搬送される記録媒体を案内する案内面が形成されており、
搬送される記録媒体の幅方向から見て、前記付勢部材の中心軸線は、前記付勢部材の中心軸線と前記案内面との交点における前記案内面の法線方向に延びている請求項１又は２に記載の画像形成装置。
【請求項４】
前記開閉部材は、搬送される記録媒体の幅方向を回転軸方向とする軸部を中心に回転することで前記筐体の内部を開閉し、
前記案内部材の前記下流部分を前記位置決め部に付勢した状態の前記付勢部材の圧縮量と、前記案内部材の前記上流部分を前記他の位置決め部に付勢した状態の前記他の付勢部材の圧縮量とは同様とされている請求項２を引用する請求項３に記載の画像形成装置。
【請求項５】
前記開閉部材は、搬送される記録媒体の幅方向を回転軸方向とする軸部を中心に回転することで前記筐体の内部を開閉し、
前記位置決め部及び前記他の位置決め部には、前記幅方向から見て凹部が形成されており、
前記案内部材の前記下流部分及び前記上流部分には、前記幅方向に延びると共に前記凹部に配置される突部が形成されており、
前記付勢部材及び前記他の付勢部材は、コイルバネであって、
前記付勢部材の端部及び前記他の付勢部材の端部は、前記突部に取り付けられており、
前記幅方向において、前記付勢部材の中心軸線と前記凹部の凹面とは重なっており、前記幅方向において、前記他の付勢部材の中心軸線と前記凹部の凹面とは重なっている請求項１〜４の何れか１項に記載の画像形成装置。
【請求項６】
前記案内部材には、搬送される記録媒体を案内する案内面と、記録媒体の幅方向から見て、前記案内面に対して反対側に形成された反対面と、前記案内面側と前記反対面側との間で空気の流れを可能とする流通部とが形成されており、
前記反対面側から空気を吸引して前記案内面で案内される記録媒体を冷却する吸引部材を備える請求項１〜５の何れか１項に記載の画像形成装置。
【請求項７】
前記幅方向から見て、前記吸引部材は、前記付勢部材と前記他の付勢部材との間に配置されている請求項６に記載の画像形成装置。
【発明の詳細な説明】
【技術分野】
【０００１】
本発明は、画像形成装置に関する。
【背景技術】
【０００２】
特許文献１の画像形成装置は、用紙にトナーを定着させるための定着部と、定着部の用紙搬送方向下流側に設けられた両面印刷搬送路が搬送方向に関して湾曲して延びる湾曲部と、吸気口が開口されて両面印刷搬送路の湾曲部の径方向外側に配置されて用紙搬送方向と交差する用紙幅方向に延びるダクトと、ダクトの内部で気流を発生させるためにダクトの吸気口に隣接して設けられて用紙幅方向に並べて配置されて吸気側が定着部を指向する２個のファンとを備える。
【先行技術文献】
【特許文献】
【０００３】
【特許文献１】特開２０１７−１３４１０３号公報
【発明の概要】
【発明が解決しようとする課題】
【０００４】
画像形成装置は、搬送される記録媒体を案内する案内面が形成された案内部材を備えている。この案内部材は、筐体の内部を開閉する開閉部材に取り付けられている。
【０００５】
この案内部材は、搬送される記録媒体の幅方向から見て、記録媒体が搬送される媒体搬送方向に延びている。さらに、媒体搬送方向において案内部材の下流側の下流部分は、搬送される記録媒体の幅方向を軸方向とする軸部によって開閉部材に回転可能に取り付けられている。また、媒体搬送方向において案内部材の上流側の上流部分は、開閉部材に取り付けられた付勢部材によって筐体の本体部の位置決め部に付勢されている。
【０００６】
このような構成においては、搬送される記録媒体が案内部材の案内面に接触することで、案内部材には、搬送される記録媒体によって荷重が作用する。そして、この荷重によって付勢部材が圧縮されることで、案内部材が軸部を中心に回転してしまい、案内部材の上流部分が移動する。この移動に起因して、搬送される記録媒体の搬送姿勢が変わってしまい、記録媒体が紙詰まりすることがある。
【０００７】
本発明の課題は、案内部材の下流部分が固定軸によって回転可能に支持され、案内部材の上流部分が付勢部材によって位置決め部に付勢されている場合と比して、案内部材が搬送される記録媒体と接触することで、案内部材の上流部分が移動する移動量を減らすことである。
【課題を解決するための手段】
【０００８】
本発明の請求項１に係る画像形成装置は、本体部と、前記本体部から接離して内部を開閉する開閉部材とを有する筐体と、前記筐体の内部に配置され、搬送される記録媒体を案内する案内部材と、一端が前記開閉部材に取り付けられ、他端が記録媒体の搬送方向において前記案内部材の下流側の下流部分に取り付けられ、前記本体部に設けられた位置決め部に前記下流部分を付勢する付勢部材と、一端が前記開閉部材に取り付けられ、他端が記録媒体の搬送方向において前記案内部材の上流側の上流部分に取り付けられ、前記本体部に設けられた他の位置決め部に前記上流部分を付勢する他の付勢部材とを備えることを特徴とする。
【０００９】
本発明の請求項２に係る画像形成装置は、請求項１に記載の画像形成装置において、前記他の付勢部材は、コイルバネであって、前記案内部材には、搬送される記録媒体を案内する案内面が形成されており、搬送される記録媒体の幅方向から見て、前記他の付勢部材の中心軸線は、前記他の付勢部材の中心軸線と前記案内面との交点における前記案内面の法線方向に延びていることを特徴とする。
【００１０】
本発明の請求項３に係る画像形成装置は、請求項１又は２に記載の画像形成装置において、前記付勢部材は、コイルバネであって、前記案内部材には、搬送される記録媒体を案内する案内面が形成されており、搬送される記録媒体の幅方向から見て、前記付勢部材の中心軸線は、前記付勢部材の中心軸線と前記案内面との交点における前記案内面の法線方向に延びていることを特徴とする。
【００１１】
本発明の請求項４に係る画像形成装置は、請求項２を引用する請求項３に記載の画像形成装置において、前記開閉部材は、搬送される記録媒体の幅方向を回転軸方向とする軸部を中心に回転することで前記筐体の内部を開閉し、前記案内部材の前記下流部分を前記位置決め部に付勢した状態の前記付勢部材の圧縮量と、前記案内部材の前記上流部分を前記他の位置決め部に付勢した状態の前記他の付勢部材の圧縮量とは同様とされていることを特徴とする。
【００１２】
本発明の請求項５に係る画像形成装置は、請求項１〜４の何れか１項に記載の画像形成装置において、前記開閉部材は、搬送される記録媒体の幅方向を回転軸方向とする軸部を中心に回転することで前記筐体の内部を開閉し、前記位置決め部及び前記他の位置決め部には、前記幅方向から見て凹部が形成されており、前記案内部材の前記下流部分及び前記上流部分には、前記幅方向に延びると共に前記凹部に配置される突部が形成されており、前記付勢部材及び前記他の付勢部材は、コイルバネであって、前記付勢部材の端部及び前記他の付勢部材の端部は、前記突部に取り付けられており、前記幅方向において、前記付勢部材の中心軸線と前記凹部の凹面とは重なっており、前記幅方向において、前記他の付勢部材の中心軸線と前記凹部の凹面とは重なっていることを特徴とする。
【００１３】
本発明の請求項６に係る画像形成装置は、請求項１〜５の何れか１項に記載の画像形成装置において、前記案内部材には、搬送される記録媒体を案内する案内面と、記録媒体の幅方向から見て、前記案内面に対して反対側に形成された反対面と、前記案内面側と前記反対面側との間で空気の流れを可能とする流通部とが形成されており、前記反対面側から空気を吸引して前記案内面で案内される記録媒体を冷却する吸引部材を備えることを特徴とする。
【００１４】
本発明の請求項７に係る画像形成装置は、請求項６に記載の画像形成装置において、前記幅方向から見て、前記吸引部材は、前記付勢部材と前記他の付勢部材との間に配置されていることを特徴とする。
【発明の効果】
【００１５】
本発明の請求項１の画像形成装置によれば、案内部材の下流部分が固定軸によって回転可能に支持され、案内部材の上流部分が付勢部材によって位置決め部に付勢されている場合と比して、案内部材が搬送される記録媒体と接触することで、案内部材の上流部分が移動する移動量を減らすことができる。
【００１６】
本発明の請求項２の画像形成装置によれば、幅方向から見て、他の付勢部材の中心軸線が、交点における案内面の法線方向に対して傾斜する方向に延びている場合と比して、案内部材が搬送される記録媒体と接触することで、案内部材の上流部分が移動する移動量を減らすことができる。
【００１７】
本発明の請求項３の画像形成装置によれば、幅方向から見て、付勢部材の中心軸線が、交点における案内面の法線方向に対して傾斜する方向に延びている場合と比して、案内部材が搬送される記録媒体と接触することで、案内部材の下流部分が移動する移動量を減らすことができる。
【００１８】
本発明の請求項４の画像形成装置によれば、付勢部材の圧縮量と他の付勢部材の圧縮量とが異なる場合と比して、開閉部材が筐体の内部を閉塞した状態での案内部材の開閉部材に対する姿勢と、開閉部材が筐体の内部を開放した状態での案内部材の開閉部材に対する姿勢とが異なるのを抑制することができる。
【００１９】
本発明の請求項５の画像形成装置によれば、幅方向において、付勢部材及び他の付勢部材の中心軸線の位置が凹部の凹面の位置とが幅方向で異なる場合と比して、案内部材の姿勢を安定させることができる。
【００２０】
本発明の請求項６の画像形成装置によれば、吸引部材の吸引力によって案内部材に作用する力に対抗する力が、案内部材に生じていない場合と比して、案内部材の姿勢が吸引部材の吸引力によって変化するのを抑制することができる。
【００２１】
本発明の請求項７の画像形成装置によれば、幅方向から見て、吸引部材が付勢部材と他の付勢部材と間の領域に対して外部に配置されている場合と比して、案内部材の姿勢が吸引部材の吸引力によって変化するのを抑制することができる。
【図面の簡単な説明】
【００２２】
【図１】本発明の実施形態に係る画像形成装置の案内機構、及び冷却ファンを示した側面図である。
【図２】本発明の実施形態に係る画像形成装置の案内機構、及び冷却ファンを示した側面図である。
【図３】（Ａ）（Ｂ）本発明の実施形態に係る画像形成装置の付勢部材及び位置決め部等を示した斜視図である。
【図４】本発明の実施形態に係る画像形成装置の案内部材、付勢部材及び位置決め部等を示した斜視図である。
【図５】本発明の実施形態に係る画像形成装置の案内部材、及び冷却ファンを示した平面図である。
【図６】（Ａ）（Ｂ）本発明の実施形態に係る画像形成装置において、閉塞位置の開閉ドア、及び開放位置の開閉ドアを示した構成図である。
【図７】本発明の実施形態に係る画像形成装置の画像形成ユニットを示した構成図である。
【図８】本発明の実施形態に係る画像形成装置を示した概略構成図である。
【図９】本発明の実施形態に対する比較形態に係る画像形成装置の案内部材等を示した斜視図である。
【図１０】本発明の実施形態に対する比較形態に係る画像形成装置の案内部材等を示した側面図である。
【発明を実施するための形態】
【００２３】
本発明の実施形態に係る画像形成装置の一例について図１〜図１０に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２４】
（全体構成）
画像形成装置１０には、図８に示されるように、上下方向の下方から上方へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０とが、この順で備えられている。さらに、画像形成装置１０には、各部を制御する制御部４４が備えられている。
【００２５】
〔収容部〕
収容部１４には、画像形成装置１０の筐体１０ａから装置奥行方向の手前側に引き出し可能な収容部材２６が備えられており、この収容部材２６にシート部材Ｐが積載されている。さらに、収容部１４には、収容部材２６に積載された最上位のシート部材Ｐを、搬送部１６を構成する搬送経路２８に送り出す送出ロール３０が備えられている。
【００２６】
〔搬送部〕
搬送部１６には、搬送経路２８に沿ってシート部材Ｐを搬送する複数の搬送ロール（符号省略）と、トナー画像が形成されたシート部材Ｐを、搬送経路２８に沿って筐体１０ａの外部に排出する排出ロール４８とが備えられている。さらに、搬送部１６には、両面印刷の場合に、排出ロール４８によってスイッチバックされたシート部材Ｐを、シート部材Ｐの表裏を反転させる反転経路３２に沿って搬送する複数の搬送ロール（符号省略）が備えられている。
【００２７】
また、搬送部１６には、後述する定着装置３４によってトナー画像が定着したシート部材Ｐを排出ロール４８へ案内する案内機構５０と、定着装置３４によってトナー画像が定着したシート部材Ｐを冷却する冷却ファン９６とが備えられている。なお、案内機構５０、及び冷却ファン９６等については、詳細を後述する。
【００２８】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ、Ｍ、Ｃ、Ｋを区別して説明する必要がない場合は、Ｙ、Ｍ、Ｃ、Ｋを省略して記載することがある。さらに、画像形成部２０には、画像形成ユニット１８に備えられた像保持体３６の表面に露光光を照射して静電潜像を形成する露光装置４２が備えられている。
【００２９】
また、各色の画像形成ユニット１８には、図７に示されるように、像を保持する像保持体３６と、像保持体３６の表面を帯電させる帯電ロール３８とが備えられている。さらに、画像形成ユニット１８には、帯電した像保持体３６の表面に露光装置４２（図８参照）が露光光を照射することで形成された静電潜像を現像してトナー画像として可視化する現像装置４０とが備えられている。
【００３０】
また、画像形成部２０には、図８に示されるように、各色の画像形成ユニット１８の像保持体３６に形成されたトナー画像が転写される無端状の転写ベルト２２と、トナー画像を転写ベルト２２に転写する一次転写ロール２４とが備えられている。さらに、画像形成部２０には、転写ベルト２２に転写されたトナー画像をシート部材Ｐに転写する二次転写ロール４６が備えられている。また、画像形成部２０には、シート部材Ｐに転写されたトナー画像を加熱・加圧してシート部材Ｐに定着する定着装置３４が備えられている。
【００３１】
この定着装置３４は、図１に示されるように、シート部材Ｐの画像面と接触してトナー画像を加熱する加熱ロール３４ａと、加熱ロール３４ａとの間でシート部材Ｐを挟み込み、シート部材Ｐを加熱ロール３４ａに加圧する加圧ロール３４ｂとを備えている。そして、加熱ロール３４ａと加圧ロール３４ｂとで、シート部材Ｐを挟みながら搬送することで、定着装置３４は、トナー画像をシート部材Ｐに定着するようになっている。
【００３２】
（画像形成装置の作用）
図７、図８に示す画像形成装置１０では、次のようにして画像が形成される。
【００３３】
先ず、電圧が印加された各色の帯電ロール３８は、各色の像保持体３６の表面に接触して像保持体３６の表面を予定の電位で一様にマイナス帯電させる。続いて、外部から入力されたデータに基づいて露光装置４２は、帯電した各色の像保持体３６の表面に露光光を照射して静電潜像を形成する。
【００３４】
これにより、画像データに対応した静電潜像が夫々の像保持体３６の表面に形成される。さらに、各色の現像装置４０は、この静電潜像を現像し、トナー画像として可視化する。また、一次転写ロール２４は、各色の像保持体３６の表面に形成されたトナー画像を、転写ベルト２２に転写する。
【００３５】
そこで、送出ロール３０は、収容部材２６に積載された最上位のシート部材Ｐを、搬送経路２８を通して転写ベルト２２と二次転写ロール４６とが接触する転写位置Ｔへ送り出す。転写位置Ｔでは、二次転写ロール４６が、転写ベルト２２との間でシート部材Ｐを挟持搬送することで、転写ベルト２２のトナー画像をシート部材Ｐの表面に転写する。
【００３６】
さらに、定着装置３４は、シート部材Ｐの表面に転写されたトナー画像をシート部材Ｐに定着する。そして、トナー画像が定着されたシート部材Ｐは、排出ロール４８によって筐体１０ａの外部へ排出される。
【００３７】
一方、表面にトナー画像が形成されたシート部材Ｐの裏面にトナー画像を形成する場合（両面印刷の場合）には、排出ロール４８は、シート部材Ｐを外部へ排出することなく、シート部材Ｐをスイッチバックさせて反転経路３２に送り込む。反転経路３２に送り込まれたシート部材Ｐは、反転経路３２に沿って搬送されることで、シート部材Ｐの表裏が反転されて再度転写位置Ｔへ送り出される。転写位置Ｔでは、二次転写ロール４６が、転写ベルト２２との間でシート部材Ｐを挟持搬送することで、転写ベルト２２のトナー画像をシート部材Ｐの裏面に転写する。
【００３８】
さらに、定着装置３４は、シート部材Ｐの裏面に転写されたトナー画像をシート部材Ｐに定着する。そして、トナー画像が定着したシート部材Ｐは、排出ロール４８によって筐体１０ａの外部へ排出される。
【００３９】
（要部構成）
次に、定着装置３４によってトナー画像が定着したシート部材Ｐを排出ロール４８へ案内する案内機構５０、及びトナー画像が定着したシート部材Ｐを冷却する冷却ファン９６等について説明する。
【００４０】
ここで、図８に示す案内機構５０、及び冷却ファン９６は、筐体１０ａの内部を開閉する開閉ドア９０に取り付けられている。具体的には、筐体１０ａは、本体部８８と、本体部８８から接離して筐体１０ａの内部を開閉する開閉ドア９０とを有している。案内機構５０、及び冷却ファン９６は、この開閉ドア９０に取り付けられている。さらに、筐体１０ａの本体部８８には、案内機構５０を位置決めする位置決め部８０、８４が設けられている。
【００４１】
先ず、開閉ドア９０について説明し、その後、案内機構５０、位置決め部８０、８４、及び冷却ファン９６について説明する。
【００４２】
〔開閉ドア９０〕
開閉ドア９０は、図８に示されるように、筐体１０ａにおいて、装置幅方向の一方側（定着装置３４が配置されている側）の内部を開閉する。具体的には、開閉ドア９０は、装置奥行方向を軸方向とする軸部９２と、ドア本体９４とを備えている。開閉ドア９０は、開閉部材の一例である。
【００４３】
ドア本体９４は、装置奥行方向から見てＬ字状とされており、板面が装置幅方向を向いて、筐体１０ａの内部と外部とを仕切る側板９４ａと、板面が装置上下方向を向いて、筐体１０ａの内部と外部とを仕切る天板９４ｂとを有している。
【００４４】
側板９４ａは、板厚方向から見て、装置上下方向に延びている矩形状とされ、天板９４ｂは、板厚方向から見て、装置奥行方向に延びている矩形状とされている。そして、側板９４ａの上端縁に、天板９４ｂの側端縁が接続されている。また、側板９４ａの下端縁に、軸部９２が取り付けられている。さらに、この軸部９２には、ドア本体９４の開度を制限する図示せぬ制限機構が備えられている。
【００４５】
この構成において、図６（Ａ）、（Ｂ）に示されるように、軸部９２を中心にドア本体９４を回転させることで、開閉ドア９０は、筐体１０ａの内部を開閉する。そして、開閉ドア９０は、筐体１０ａの内部を閉塞する閉塞位置（図６（Ａ）参照）と、筐体１０ａの内部を開放する開放位置（図６（Ｂ）参照）との間を移動する。
【００４６】
〔案内機構５０〕
案内機構５０は、図１に示されるように、排出ロール４８側へ搬送されるシート部材Ｐの搬送方向（以下「シート搬送方向」）において、定着装置３４の下流側に配置されており、案内部材５２、及び案内部材５２を支持する付勢部材６４、６８を備えている。
【００４７】
−案内部材５２−
案内部材５２は、定着装置３４から排出ロール４８へ向かうシート部材Ｐが通る搬送経路２８と、排出ロール４８によってスイッチバックされたシート部材Ｐが通る反転経路３２とを仕切るように配置されている。具体的には、案内部材５２は、搬送経路２８において側板９４ａと天板９４ｂとの接続部側が凸となる湾曲状の経路部分と、反転経路３２において側板９４ａと天板９４ｂとの接続部側が凸となる湾曲状の経路部分とを仕切るように配置されている。
【００４８】
そして、案内部材５２は、図４に示されるように、板面が装置奥行方向を向いた複数の案内板５４と、夫々の案内板５４を連結する複数の連結部５６とを備えている。
【００４９】
案内板５４は、搬送経路２８及び反転経路３２（図１参照）に沿って延びている三角形状とされており、隣り合う案内板５４の間には、空間７０が形成されている。また、連結部５６は、複数設けられており、装置奥行方向に延びている円柱状とされ、隣り合う案内板５４の間に配置されている。そして、連結部５６の一端は、一方の案内板５４の長手方向の中央側の部分に固定され、連結部５６の他端は、他方の案内板５４の長手方向の中央側の部分に固定されている。これにより、複数の連結部５６は、夫々の案内板５４を連結している。空間７０は、流通部の一例である。
【００５０】
また、案内板５４の搬送経路２８側には、図１に示されるように、第一案内面５４ａが形成されており、この第一案内面５４ａは、装置奥行方向から見て、凹んだ湾曲状とされている。搬送経路２８上を搬送されるシート部材Ｐは、この第一案内面５４ａに接触しながら案内されるようになっている。第一案内面５４ａは、案内面の一例である。
【００５１】
また、案内板５４の反転経路３２側には、第二案内面５４ｂが形成されており、この第二案内面５４ｂは、装置奥行方向から見て、突出した湾曲状とされている。反転経路３２上を搬送されるシート部材Ｐは、この第二案内面５４ｂに接触しながら案内されるようになっている。第二案内面５４ｂは、反対面の一例である。
【００５２】
この構成において、案内板５４の第一案内面５４ａは、排出ロール４８側へ搬送されるシート部材Ｐを案内し、案内板５４の第二案内面５４ｂは、排出ロール４８側から搬送されるシート部材Ｐを案内する。このように、案内部材５２は、排出ロール４８側へ搬送されるシート部材Ｐ、及び排出ロール４８側から搬送されるシート部材Ｐの両方を案内することができる往復案内手段として機能している。
【００５３】
また、前述したように、隣り合う案内板５４の間には、空間７０が形成されており（図４参照）、この空間７０によって、搬送経路２８側と反転経路３２側との間で空気の流れが可能とされている。このように、案内部材５２は、搬送経路２８側と反転経路３２側との間で空気の流れを可能とする空気流通手段として機能している。さらに、この空間７０によって、案内部材５２のシート搬送方向の上流側と、案内部材５２のシート搬送方向の下流側での間で空気の流れが可能とされている。このように、空間７０は、案内部材５２のシート搬送方向の上流側と、案内部材５２のシート搬送方向の下流側とに開放されている。
【００５４】
さらに、隣り合う案内板５４の間隔については、空気流通手段として機能を考慮すると広い程好ましい、一方、往復案内手段の機能としての機能を考慮すると狭い程好ましい。この２個の機能を考慮すると、隣り合う案内板５４の間隔（距離）は、５〔ｍｍ〕以上４０〔ｍｍ〕以下が好ましく、１０〔ｍｍ〕以上３０〔ｍｍ〕以下がより好ましく、１５〔ｍｍ〕以上２５〔ｍｍ〕以下が特に好ましい。
【００５５】
さらに、図４に示されるように、装置奥行方向の両端に配置された案内部材５２において排出ロール４８に近い部分には、円柱部５８が夫々形成されている。また、装置奥行方向の両端に配置された案内部材５２において排出ロール４８から離れた部分には、円柱部６０が夫々形成されている。円柱部５８、６０は、突部の一例である。また、案内部材５２において排出ロール４８に近い部分は、シート搬送方向において案内部材５２の下流側の下流部分の一例であって、案内部材５２において排出ロール４８から離れた部分は、シート搬送方向において案内部材５２の上流側の上流部分の一例である。
【００５６】
円柱部５８は、案内板５４の排出ロール４８に近い部分から装置奥行方向の外側（隣りの案内板５４が配置されていない側）へ突出しており、装置奥行方向に延びている。円柱部６０は、案内板５４の排出ロール４８から離れた部分から装置奥行方向の外側へ突出しており、装置奥行方向に延びている。
【００５７】
−付勢部材６４−
付勢部材６４は、圧縮コイルバネであって、図１、図４に示されるように、案内部材５２において排出ロール４８に近い部分を後述する位置決め部８０に付勢する部材である。付勢部材６４は、一対設けられており、先端が、円柱部５８に巻き付けられること（図示省略）で取り付けられており、基端が、天板９４ｂに形成された台部９３に図示せぬ取付部材を用いて取り付けられている。
【００５８】
ここで、図１に示されるように、装置奥行方向から見て、付勢部材６４の中心軸線Ｌ１が延びている方向は、付勢部材６４の中心軸線Ｌ１と案内部材５２の第一案内面５４ａとの交点ｄ１における第一案内面５４ａの法線方向である。
【００５９】
−付勢部材６８−
付勢部材６８は、圧縮コイルバネであって、図１、図４に示されるように、案内部材５２において排出ロール４８から離れた部分を後述する位置決め部８４に付勢する部材である。付勢部材６８は、一対設けられており、先端が、円柱部６０に巻き付けられること（図示省略）で取り付けられており、基端が、側板９４ａに形成された台部９５に図示せぬ取付部材を用いて取り付けられている。付勢部材６８は、他の付勢部材の一例である。
【００６０】
ここで、図１に示されるように、装置奥行方向から見て、付勢部材６８の中心軸線Ｌ２が延びている方向は、付勢部材６８の中心軸線Ｌ２と案内部材５２の第一案内面５４ａとの交点ｄ２における第一案内面５４ａの法線方向である。
【００６１】
この構成において、定着装置３４によって搬送されるシート部材Ｐが第一案内面５４ａに接触すると、案内部材５２には、搬送されるシート部材Ｐによって荷重が作用する。そして、この荷重によって付勢部材６４、６８が圧縮されることで、この荷重を吸収する。つまり、付勢部材６４、６８は、荷重吸収手段として機能している。
【００６２】
〔位置決め部８０、８４〕
位置決め部８０、８４は、本体部８８に夫々一対設けられている。また、位置決め部８０、８４は、装置奥行方向から見て、図１、図２に示されるように、装置幅方向に対して側板９４ａ側が上方となるように傾斜して延びている。位置決め部８４は、他の位置決め部の一例である。
【００６３】
−位置決め部８０−
位置決め部８０の先端には、案内部材５２の円柱部５８を受けるＵ字状の凹部８０ａが形成されている。また、図３（Ａ）に示されるように、装置奥行方向において、付勢部材６４の中心軸線Ｌ１と凹部８０ａの凹面８２とは重なっている。換言すれば、付勢部材６４の付勢力によって円柱部５８に曲げモーメントが生じることなく、付勢部材６４の付勢力が凹部８０ａから位置決め部８０に伝達されるようになっている。
【００６４】
−位置決め部８４−
位置決め部８４の先端には、図１、図２に示されるように、案内部材５２の円柱部６０を受けるＵ字状の凹部８４ａが形成されている。また、図３（Ｂ）に示されるように、装置奥行方向において、付勢部材６８の中心軸線Ｌ２と凹部８４ａの凹面８６とは重なっている。換言すれば、付勢部材６８の付勢力によって円柱部６０に曲げモーメントが生じることなく、付勢部材６８の付勢力が凹部８４ａから位置決め部８４に伝達されるようになっている。
【００６５】
この構成において、開閉ドア９０が閉塞位置に配置された状態では、図１に示されるように、付勢部材６４は、圧縮されて、案内部材５２の円柱部５８を位置決め部８０の凹部８０ａに付勢している。さらに、付勢部材６８は、圧縮されて、案内部材５２の円柱部６０を位置決め部８４の凹部８４ａに付勢している。
【００６６】
これにより、案内部材５２において排出ロール４８に近い部分、及び離れた部分の両方が、本体部８８に位置決めされる。このように、付勢部材６４、６８、及び位置決め部８０、８４は、案内部材５２を本体部８８に位置決めする位置決め手段として機能している。
【００６７】
また、閉塞位置の開閉ドア９０を移動させると、図２に示されるように、案内部材５２の円柱部５８は、位置決め部８０の凹部８０ａから離間し、かつ、案内部材５２の円柱部６０は、位置決め部８４の凹部８４ａから離間する。円柱部５８、６０が、凹部８０ａ、８４ａから離間することで、付勢部材６４、６８は、圧縮状態から解放されて伸張する。なお、付勢部材６４、６８の伸張については、各図で省略する。
【００６８】
そして、付勢部材６４の伸張量と、付勢部材６８の伸張量とは、同様とされている。換言すれば、開閉ドア９０が閉塞位置に配置された状態では、付勢部材６４の圧縮量と、付勢部材６８の圧縮量とは、同様とされている。ここで、本実施形態で、同様とは、付勢部材の製造ばらつき、付勢部材の取り付けばらつき等を考慮して、付勢部材６４の伸張量（圧縮量）が、付勢部材６８の伸張量（圧縮量）の±１０〔％〕以内のことである。
【００６９】
このように、付勢部材６４の伸張量（圧縮量）と、付勢部材６８の伸張量（圧縮量）とが、同様となることで、開閉ドア９０が閉塞位置に配置された状態での案内部材５２の開閉ドア９０に対する姿勢と、開閉ドア９０が開放位置に配置された状態での案内部材５２の開閉ドア９０に対する姿勢とが異なるのが抑制される。案内部材５２の姿勢が異なるのを抑制する観点から、閉塞位置に配置された案内部材５２において、付勢部材６４の圧縮量が、付勢部材６８の圧縮量の±８〔％〕以内であることが好ましく、±６〔％〕以内であることがさらに好ましく、±５〔％〕以内であることが特に好ましい。
【００７０】
〔冷却ファン９６〕
冷却ファン９６は、空気を吸引する部材あって、複数設けられ、装置奥行方向から見て、図１に示されるように、案内部材５２の第二案内面５４ｂと対向して配置されている。そして、冷却ファン９６は、回転する羽根９６ａを有しており、図示せぬ取付部材を用いて開閉ドア９０に取り付けられている。冷却ファン９６は、吸引部材の一例である。
【００７１】
冷却ファン９６は、図５に示されるように、搬送されるシート部材Ｐの幅方向である装置奥行方向に並んでいる。さらに、装置奥行方向から見て、冷却ファン９６は、図１に示されるように、付勢部材６４と付勢部材６８との間に配置されている。
【００７２】
（要部構成の作用）
次に、要部構成の作用について、比較形態の画像形成装置２１０の作用と共に説明する。先ず、比較形態の画像形成装置２１０の構成について、本実施形態の画像形成装置１０と異なる部分を主に説明する。
【００７３】
〔画像形成装置２１０〕
画像形成装置２１０の円柱部５８は、図９、図１０に示されるように、支持部材２１４によって支持されている。具体的には、支持部材２１４は、一対設けられており、開閉ドア９０が閉塞位置に配置された状態で、装置上下方向に延びており、支持部材２１４の基端は、天板９４ｂに固定されている。また、支持部材２１４の先端部分には、円柱部５８が回転可能に挿入されている円孔２１４ａが形成されている。
【００７４】
この構成において、支持部材２１４は、案内部材５２において排出ロール４８に近い部分の円柱部５８を固定軸として、案内部材５２を回転可能に支持している。
【００７５】
〔作用〕
画像形成装置１０が稼動すると、図１に示す冷却ファン９６も全て稼動する。そして、シート部材Ｐの表面にトナー画像が転写されると、定着装置３４は、トナー画像が表面に転写されたシート部材Ｐを、搬送経路２８上を搬送しながら、トナー画像を加熱してシート部材Ｐに定着する。さらに、定着装置３４によって搬送されるシート部材Ｐは、第一案内面５４ａに接触して、排出ロール４８側へ案内される。ここで、搬送されるシート部材Ｐが第一案内面５４ａに接触することで、案内部材５２には、搬送されるシート部材Ｐによって荷重が作用する。
【００７６】
図１０に示す比較形態に係る画像形成装置２１０の場合には、付勢部材６８が、圧縮されることでこの荷重を吸収する。具体的には、案内部材５２が円柱部５８を回転中心として回転し、付勢部材６８は、圧縮されることでこの荷重を吸収する。
【００７７】
これに対して、図１に示す本実施形態の画像形成装置１０の場合には、付勢部材６４、６８が、圧縮されることでこの荷重を吸収する。具体的には、案内部材５２の全体が移動し、付勢部材６４、６８は、圧縮されることでこの荷重を吸収する。
【００７８】
さらに、冷却ファン９６は、隣り合う案内板５４の間の空間７０（図４参照）を通して、反転経路３２側から空気を吸引している。これにより、第一案内面５４ａに接触して排出ロール４８側へ案内されているシート部材Ｐの裏面に空気の流れが発生し、この空気の流れによってシート部材Ｐの熱が奪われる。このように、冷却ファン９６は、シート部材Ｐを冷却する。
【００７９】
トナー画像をシート部材Ｐの表面だけに形成する場合は、一方向に回転する排出ロール４８が、シート部材Ｐを受け取り、筐体１０ａの外部へ排出する。
【００８０】
これに対して、シート部材Ｐの裏面にもトナー画像を形成する場合（両面印刷の場合）は、一方向に回転しながら排出ロール４８が、シート部材Ｐを受け取る。さらに、搬送されるシート部材Ｐの後端が案内部材５２に対してシート搬送方向で離間したタイミングで、排出ロール４８が他方向へ回転する。他方向へ回転する排出ロール４８は、シート部材Ｐを反転経路３２に送り込む。
【００８１】
他方向へ回転する排出ロール４８によって搬送されるシート部材Ｐは、第二案内面５４ｂに接触して、反転経路３２上を搬送される。これにより、シート部材Ｐの表裏が反転さされる。
【００８２】
また、シート搬送方向において定着装置３４の下流側の部分で、紙詰まり（ジャム）が発生した場合には、ユーザーが、図６（Ａ）（Ｂ）に示されるように、閉塞位置の開閉ドア９０を開放位置へ移動させる。そして、ジャムしたシート部材Ｐが取り除かれた後、作業者が、開放位置の開閉ドア９０を閉塞位置へ移動させる。
【００８３】
（まとめ）
以上説明したように、付勢部材６４は、案内部材５２において排出ロール４８に近い部分を位置決め部８０の凹部８０ａに付勢し、付勢部材６８は、案内部材５２において排出ロール４８から離れた部分を位置決め部８４の凹部８４ａに付勢している。そして、搬送されるシート部材Ｐが第一案内面５４ａに接触することで、搬送されるシート部材Ｐによって荷重が案内部材５２に作用すると、付勢部材６４、６８が、圧縮されることでこの荷重を吸収する。
【００８４】
このため、付勢部材６８だけが圧縮されることでこの荷重を吸収する画像形成装置２１０を用いる場合と比して、付勢部材６４及び付勢部材６８の両方が圧縮することで、搬送されるシート部材Ｐと接触することで案内部材５２において排出ロール４８から離れた部分が移動する移動量が減る。これにより、付勢部材６８だけが圧縮されることでこの荷重を吸収する画像形成装置２１０を用いる場合と比して、案内部材５２の姿勢の変化が抑制されることで、案内部材５２によって案内されるシート部材Ｐの紙詰まり（ジャム）の発生が抑制される。
【００８５】
また、画像形成装置１０では  装置奥行方向から見て、付勢部材６４の中心軸線Ｌ１は、付勢部材６４の中心軸線Ｌ１と案内部材５２の第一案内面５４ａとの交点ｄ１における第一案内面５４ａの法線方向に延びている。このため、付勢部材６４の中心軸線Ｌ１が、交点ｄ１における第一案内面５４ａの法線方向に対して傾斜する方向に延びている場合と比して、搬送されるシート部材Ｐと接触することで、案内部材５２において排出ロール４８に近い部分が移動する移動量が減る。
【００８６】
また、画像形成装置１０では  装置奥行方向から見て、付勢部材６８の中心軸線Ｌ２は、付勢部材６８の中心軸線Ｌ２と案内部材５２の第一案内面５４ａとの交点ｄ２における第一案内面５４ａの法線方向に延びている。このため、付勢部材６８の中心軸線Ｌ２が、交点ｄ２における第一案内面５４ａの法線方向に対して傾斜する方向に延びている場合と比して、搬送されるシート部材Ｐと接触することで、案内部材５２において排出ロール４８から離れた部分が移動する移動量が減る。
【００８７】
また、画像形成装置１０では、前述したように、開閉ドア９０が閉塞位置に配置された状態で、付勢部材６４の圧縮量と、付勢部材６８の圧縮量とは、同様とされている。これにより、付勢部材６４の圧縮量と付勢部材６８の圧縮量とが異なる場合と比して、開閉ドア９０が閉塞位置に配置された状態での案内部材５２の開閉ドア９０に対する姿勢と、開閉ドア９０が開放位置に配置された状態での案内部材５２の開閉ドア９０に対する姿勢とが異なるのが抑制される。
【００８８】
このため、付勢部材６４の圧縮量と、付勢部材６８の圧縮量とが異なる場合と比して、開放位置の案内部材５２を閉塞位置へ移動させる際に円柱部５８が凹部８０ａへ容易に配置され、円柱部６０が凹部８４ａへ容易に配置される。ここで、付勢部材６４の圧縮量と付勢部材６８の圧縮量とが異なるとは、付勢部材６４の圧縮量が、付勢部材６８の圧縮量の±１０〔％〕の範囲外のことである。
【００８９】
また、画像形成装置１０では、装置奥行方向において、付勢部材６４の中心軸線Ｌ１と凹部８０ａの凹面８２とは重なっている。これにより、付勢部材６４の付勢力によって円柱部５８に曲げモーメントが生じることなく、付勢部材６４の付勢力が凹部８０ａから位置決め部８０に伝達される。さらに、装置奥行方向において、付勢部材６８の中心軸線Ｌ２と凹部８４ａの凹面８６とは重なっている。これにより、付勢部材６８の付勢力によって円柱部６０に曲げモーメントが生じることなく、付勢部材６８の付勢力が凹部８４ａから位置決め部８４に伝達される。
【００９０】
このため、装置奥行方向において、装置奥行方向において、付勢部材６４、６８の中心軸線Ｌ１、Ｌ２の位置が凹部８０ａ、８４ａの凹面８２、８６の位置とは異なる場合と比して、開閉ドア９０が閉塞位置に配置された状態での案内部材５２の姿勢が安定する。
【００９１】
また、画像形成装置１０では、冷却ファン９６は、隣り合う案内板５４の間の空間７０を通して、反転経路３２側から空気を吸引することで、搬送されるシート部材Ｐを冷却する。ここで、付勢部材６４、６８は、冷却ファン９６が空気を吸引する方向とは反対の方向に、案内部材５２を付勢している。このため、冷却ファン９６の吸引力によって案内部材５２に作用する力に対抗する力が、案内部材５２に生じていない場合と比して、案内部材５２の姿勢が冷却ファン９６の吸引力によって変化するのが抑制される。
【００９２】
また、画像形成装置１０では、装置奥行方向から見て、冷却ファン９６は、付勢部材６４と付勢部材６８との間に配置されている。このため、装置奥行方向から見て、冷却ファン９６が付勢部材６４と付勢部材６８と間の領域に対して外部に配置されている場合と比して、案内部材５２の姿勢が冷却ファン９６の吸引力によって変化するのが抑制される。
【００９３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、付勢部材は、コイルバネであったが、弾性変形することで案内部材を位置決め部に付勢する部材であればよく、例えば、ゴム材料で形成された部材であってもよい。
【００９４】
また、上記実施形態では、付勢部材６４、６８の中心軸線Ｌ１、Ｌ２は、付勢部材６４、６８の中心軸線Ｌ１、Ｌ２と案内部材５２の第一案内面５４ａとの交点ｄ１、ｄ２における第一案内面５４ａの法線方向に延びていたが、中心軸線Ｌ１、Ｌ２が法線方向に延びていなくてもよい。この場合には、中心軸線Ｌ１、Ｌ２が法線方向に延びることで奏する作用は奏しない。
【００９５】
また、上記実施形態では、付勢部材６４の圧縮量と、付勢部材６８の圧縮量とは、同様とされていたが、異なっていてもよい。この場合には、付勢部材６４の圧縮量と、付勢部材６８の圧縮量とが同様とされることで奏する作用は奏しない。
【００９６】
また、上記実施形態では、装置奥行方向から見て、冷却ファン９６は、付勢部材６４と付勢部材６８との間に配置されていたが、冷却ファンが付勢部材６４と付勢部材６８と間の領域に対して外部に配置されていてもよい。この場合には、付勢部材６４、６８のバネ定数を大きくする必要がある。
【００９７】
また、上記実施形態では、特に説明しなかったが、装置奥行方向の手前側、又は奥側に配置された位置決め部８０と位置決め部８４とは、夫々一体的に形成されてもよい。
【００９８】
また、上記実施形態では、冷却ファン９６が設けられていたが、冷却ファンが無くてもよい。
【符号の説明】
【００９９】
１０  画像形成装置
１０ａ      筐体
５２  案内部材
５４ａ      第一案内面（案内面の一例）
５４ｂ      第二案内面（反対面の一例）
５８  円柱部（突部の一例）
６０  円柱部（突部の一例）
６４  付勢部材
６８  付勢部材（他の付勢部材の一例）
７０  空間（流通部の一例）
８０  位置決め部
８０ａ      凹部
８２  凹面
８４  位置決め部（他の位置決め部の一例）
８４ａ      凹部
８６  凹面
８８   本体部
９０  開閉ドア（開閉部材の一例）
９２  軸部
９６  冷却ファン（吸引部材の一例）
Ｌ１  中心軸線
Ｌ２  中心軸線
【図１】
2020016691.tif 000003
【図２】
2020016691.tif 000004
【図３】
2020016691.tif 000005
【図４】
2020016691.tif 000006
【図５】
2020016691.tif 000007
【図６】
2020016691.tif 000008
【図７】
2020016691.tif 000009
【図８】
2020016691.tif 000010
【図９】
2020016691.tif 000011
【図１０】
2020016691.tif 000012